(57)【特許請求の範囲】
【請求項１】
外周縁を有し、缶胴の開口に取り付けられるパネルと、
前記パネルの前記外周縁よりも内側に設けられるとともに当該パネルに取り付けられ、当該パネルに開口が形成される際にユーザにより操作されるタブと、
を備え、
前記タブは、
前記パネルのうちの前記開口が形成される部位に少なくとも一部が重なるように設けられ、当該パネルに固定された固定片と、
一端および他端を有し、前記固定片に当該一端が接続して設けられるとともに当該一端を中心に揺動可能に設けられ、当該固定片に対向して配置されるとともに、当該一端を中心として回転することで当該他端が前記パネルの前記外周縁よりも外側に位置するようになる揺動片と、
前記他端が前記パネルの前記外周縁よりも外側に位置する前記揺動片が前記一端を中心として当該外周縁の内側に向かって回転することを規制する規制部と、
を備えていることを特徴とする缶蓋。
【請求項２】
前記一端を中心として前記外周縁の外側へ向かって前記回転を行った前記揺動片の前記他端は、当該外周縁よりも外側に且つ前記固定片よりも上方に位置し、
前記他端が前記外周縁よりも外側に且つ前記固定片よりも上方に位置する状態の前記揺動片と、当該固定片との間に、前記規制部が配置されることで、当該揺動片の前記内側に向かっての前記回転が規制され、
前記揺動片の前記外周縁の前記外側への前記回転がなされる前、前記規制部は、当該揺動片と前記固定片との間以外の箇所に設けられていることを特徴とする請求項１記載の缶蓋。
【請求項３】
前記揺動片と前記固定片との間以外の箇所に設けられた前記規制部は、前記パネルに沿うように配置されていることを特徴とする請求項２に記載の缶蓋。
【請求項４】
前記規制部と前記揺動片とは連動可能に設けられ、
前記揺動片と前記固定片との間以外の箇所に設けられた前記規制部を変位させて当該揺動片と当該固定片との間に当該規制部を配置する際、当該揺動片が、当該規制部の当該変位によって前記一端を中心に回転し、当該回転によって、当該揺動片の前記他端が前記外周縁よりも外側に且つ当該固定片よりも上方に位置するようになることを特徴とする請求項２又は３に記載の缶蓋。
【請求項５】
開口を有し飲料を内部に収容した缶胴と、当該缶胴の当該開口を塞ぐ缶蓋とを有し、
前記缶蓋は、
外周縁を有し、前記缶胴の前記開口に取り付けられるパネルと、
前記パネルの前記外周縁よりも内側に設けられるとともに当該パネルに取り付けられ、当該パネルに開口が形成される際にユーザにより操作されるタブと、
を備え、
前記タブは、
前記パネルのうちの前記開口が形成される部位に少なくとも一部が重なるように設けられ、当該パネルに固定された固定片と、
一端および他端を有し、前記固定片に当該一端が接続して設けられるとともに当該一端を中心に揺動可能に設けられ、当該固定片に対向して配置されるとともに、当該一端を中心として回転することで当該他端が前記パネルの前記外周縁よりも外側に位置するようになる揺動片と、
前記他端が前記パネルの前記外周縁よりも外側に位置する前記揺動片が前記一端を中心として当該外周縁の内側に向かって回転することを規制する規制部と、
を備えていることを特徴とする飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
ここで飲料缶の直径が小さい場合、缶蓋に形成される開口（飲み口）とタブとが重なりやすくなり、内部の飲料の流出性能が低下してしまう。このため、飲料缶の直径が小さくなる場合は、タブのサイズも小さくすることが望ましくなる。ところでこの場合、流出性能の低下は抑制可能となるもののタブの操作性は低下してしまう。また飲料缶に形成される開口が大きい場合も上記と同様の問題が起こり得る。ここで飲料缶に取り付けられる缶蓋の大きさには制約があり、開口が大きくなる場合、タブの設置スペースが減るようになる。そしてこの場合、上記と同様、タブが小さくなりタブの操作性が低下する。
本発明の目的は、飲料缶の小型化や開口の大型化がなされる場合に生じうるタブの操作性の低下を抑制可能な缶蓋等を提供することにある。
【課題を解決するための手段】
【０００５】
本発明が適用される缶蓋は、外周縁を有し、缶胴の開口に取り付けられるパネルと、前記パネルの前記外周縁よりも内側に設けられるとともに当該パネルに取り付けられ、当該パネルに開口が形成される際にユーザにより操作されるタブと、を備え、前記タブは、その一部が前記パネルの前記外周縁よりも外側に突出可能なように、変形可能に構成されており、前記一部が前記外周縁よりも外側に位置するようにユーザにより前記タブの変形がなされた後、当該一部がユーザにより引き上げられることで当該タブの他の部位が前記パネルを押圧し、当該押圧によって当該パネルに前記開口が形成されることを特徴とする缶蓋である。
【０００６】
ここで、前記タブは、一枚の板金が折り曲げられることで形成され、前記タブの前記一部の前記外側への突出は、当該タブに形成された折り曲げ部を節として当該タブが変形することで行われる特徴とすることができる。
また、前記タブは、予め定められた箇所を中心として揺動可能に設けられるとともに前記パネルに沿うように設けられた揺動片を備え、前記タブの前記一部の前記外側への突出は、前記揺動片が、前記予め定められた箇所を中心として、前記外周縁の内側から当該外周縁の当該外側に向かって回転することで行われることを特徴とすることができる。
また、前記予め定められた箇所を中心として前記外周縁の内側から当該外周縁の外側に向かって回転した前記揺動片の当該内側への回転を規制する規制部を更に備えていることを特徴とすることができる。
さらに、前記タブの前記変形がなされる前、当該タブは、前記パネルのうちの前記開口が形成される部分に重なるように設けられ、前記タブの前記変形によって、前記開口が形成される前記部分と当該タブとの重なりが小さくなることを特徴とすることができる。
【０００７】
他の観点から捉えると、本発明が適用される缶蓋は、外周縁を有し、缶胴の開口に取り付けられるパネルと、前記パネルの前記外周縁よりも内側に設けられるとともに当該パネルに取り付けられ、当該パネルに開口が形成される際にユーザにより操作されるタブと、を備え、前記タブは、前記パネルのうちの前記開口が形成される部位に少なくとも一部が重なるように設けられ、当該パネルに固定された固定片と、一端および他端を有し、前記固定片に当該一端が接続して設けられるとともに当該一端を中心に揺動可能に設けられ、当該固定片に対向して配置されるとともに、当該一端を中心として回転することで当該他端が前記パネルの前記外周縁よりも外側に位置するようになる揺動片と、前記他端が前記パネルの前記外周縁よりも外側に位置する前記揺動片が前記一端を中心として当該外周縁の内側に向かって回転することを規制する規制部と、を備えていることを特徴とする缶蓋である。
【０００８】
ここで、前記一端を中心として前記外周縁の外側へ向かって前記回転を行った前記揺動片の前記他端は、当該外周縁よりも外側に且つ前記固定片よりも上方に位置し、前記他端が前記外周縁よりも外側に且つ前記固定片よりも上方に位置する状態の前記揺動片と、当該固定片との間に、前記規制部が配置されることで、当該揺動片の前記内側に向かっての前記回転が規制され、前記揺動片の前記外周縁の前記外側への前記回転がなされる前、前記規制部は、当該揺動片と前記固定片との間以外の箇所に設けられていることを特徴とすることができる。
また、前記揺動片と前記固定片との間以外の箇所に設けられた前記規制部は、前記パネルに沿うように配置されていることを特徴とすることができる。
さらに、前記規制部と前記揺動片とは連動可能に設けられ、前記揺動片と前記固定片との間以外の箇所に設けられた前記規制部を変位させて当該揺動片と当該固定片との間に当該規制部を配置する際、当該揺動片が、当該規制部の当該変位によって前記一端を中心に回転し、当該回転によって、当該揺動片の前記他端が前記外周縁よりも外側に且つ当該固定片よりも上方に位置するようになることを特徴とすることができる。
【０００９】
さらに本発明を飲料缶と捉えた場合、本発明が適用される飲料缶は、開口を有し飲料を内部に収容した缶胴と、当該缶胴の当該開口を塞ぐ缶蓋とを有し、前記缶蓋は、外周縁を有し、前記缶胴の前記開口に取り付けられるパネルと、前記パネルの前記外周縁よりも内側に設けられるとともに当該パネルに取り付けられ、当該パネルに開口が形成される際にユーザにより操作されるタブと、を備え、前記タブは、その一部が前記パネルの前記外周縁よりも外側に突出可能なように、変形可能に構成されており、前記一部が前記外周縁よりも外側に位置するようにユーザにより前記タブの変形がなされた後、当該一部がユーザにより引き上げられることで当該タブの他の部位が前記パネルを押圧し、当該押圧によって当該パネルに前記開口が形成されることを特徴とする飲料缶である。
【００１０】
他の観点から捉えると、本発明が適用される飲料缶は、開口を有し飲料を内部に収容した缶胴と、当該缶胴の当該開口を塞ぐ缶蓋とを有し、前記缶蓋は、外周縁を有し、前記缶胴の前記開口に取り付けられるパネルと、前記パネルの前記外周縁よりも内側に設けられるとともに当該パネルに取り付けられ、当該パネルに開口が形成される際にユーザにより操作されるタブと、を備え、前記タブは、前記パネルのうちの前記開口が形成される部位に少なくとも一部が重なるように設けられ、当該パネルに固定された固定片と、一端および他端を有し、前記固定片に当該一端が接続して設けられるとともに当該一端を中心に揺動可能に設けられ、当該固定片に対向して配置されるとともに、当該一端を中心として回転することで当該他端が前記パネルの前記外周縁よりも外側に位置するようになる揺動片と、前記他端が前記パネルの前記外周縁よりも外側に位置する前記揺動片が前記一端を中心として当該外周縁の内側に向かって回転することを規制する規制部と、を備えていることを特徴とする飲料缶である。
【発明の効果】
【００１１】
本発明によれば、飲料缶の小型化や開口の大型化がなされる場合に生じうるタブの操作性の低下を抑制可能な缶蓋等を提供することができる。
【図面の簡単な説明】
【００１２】
【図１】本実施の形態が適用される飲料缶を説明するための図である。
【図２】タブが取り付けられる前のパネルの状態を示した正面図である。
【図３】タブの展開図である。
【図４】タブの正面図、側面図、および背面図を示した図である。
【図５】パネルに開口が形成される際のタブの動きを示した図である。
【図６】タブ、パネル、および容器本体を、飲料缶の側方から眺めた場合の図である。
【図７】飲料缶の他の実施形態を示した図である。
【図８】飲料缶の他の一形態を示した図である。
【図９】図３にて示した第１溝〜第４溝を説明するための図である。
【図１０】タブの他の構成例を示した図である。
【図１１】タブの他の一形態を示した図である。
【図１２】タブの他の一形態を示した図である。
【図１３】第１片部〜第４片部の寸法関係を説明するための図である。
【発明を実施するための形態】
【００１３】
以下、添付図面を参照して、本発明の実施の形態について詳細に説明する。
図１は、本実施の形態が適用される飲料缶１００を説明するための図である。
本実施形態の飲料缶１００は、図１（Ａ）に示すように、上部に開口を有するとともに下部に底部を有し且つ筒状に形成された容器本体（缶胴）２００と、容器本体２００の開口に取り付けられ容器本体２００の開口を塞ぐ缶蓋３００とを有している。ここで、飲料缶１００の内部には、清涼飲料、炭酸飲料、アルコール飲料などの飲料が充填（収容）されている。なお、図１（Ａ）は、小径の飲料缶１００をイメージして描いてあるが、本実施形態に係る構成は、小径の飲料缶１００以外にも適用できる。
【００１４】
缶蓋３００は、円盤状に形成されたパネル４００を有している。また缶蓋３００には、タブ５００がリベット９００によって取り付けられている。なお本実施形態における缶蓋３００は、飲み口として機能する開口がパネル４００に形成された後もタブ５００がパネル４００に取り付けられた状態を維持するいわゆるステイオンタイプの缶蓋である。また缶蓋３００のパネル４００には、パネル４００に開口が形成される際に生じるパネル４００の破断を誘導するスコア線４３０が形成されている。さらに本実施形態では、パネル４００のうち飲み口となる部分がタブ５００により覆われている。このため、飲み口となる部分が汚れにくくなっている。
【００１５】
ここで本実施形態では、タブ５００は、パネル４００の中央部（中心）からずれた位置に設けられたリベット９００によってパネル４００に固定されている。付言すると、タブ５００は、パネル４００に対して偏心した状態で設けられたリベット９００によってパネル４００に固定されている。このようにリベット９００をパネル４００の中央部からずれた位置に設ける場合、パネル４００に形成される開口（スコア線４３０により囲まれている領域）を大きくすることができる。なお本実施形態では、リベット９００がパネル４００の中央部からずれた位置に設けられた場合を一例に説明するが、リベット９００はパネル４００の中央部に設けることもできる。
【００１６】
また本実施形態では、タブ５００が変形可能に設けられており、パネル４００に開口が形成される際に、タブ５００がユーザにより操作され、図１（Ｂ）に示すように、その一部が、円盤状に形成されたパネル４００の外周縁４１０から突出する。その後、タブ５００のうち外周縁４１０から突出した一方の端部が引き上げられることで、タブ５００の他方の端部がパネル４００を押圧する。これにより、パネル４００に形成されたスコア線４３０においてパネル４００の破断が起こり、パネル４００に開口が形成される。
【００１７】
また本実施形態では、タブ５００がユーザにより操作されタブ５００の一部が上記のようにパネル４００の外周縁４１０から突出する際、タブ５００に形成された溝（後述）の部分でタブ５００が屈曲し、タブ５００が立体化される（後述）。そしてこの立体化によってタブ５００の剛性がさらに高まるようになる。また本実施形態においては、パネル４００に開口が形成される前、同図（Ａ）に示すようにパネル４００の外周縁４１０の内側にタブ５００が収まっている。このため、パネル４００に開口が形成される前においては、飲料缶１００の体積は小さくなり、飲料缶１００の搬送コスト等の低減が可能となる。
【００１８】
また本実施形態では、パネル４００に開口が形成される際に、上記のように、タブ５００の一部がパネル４００の外周縁４１０から突出するようになるが、この場合、タブ５００がパネル４００の外周縁４１０の内側にそのまま収まっている場合に比べ、タブ５００の操作性が向上する。付言すると、ユーザはタブ５００に指をかけやすくなり、タブ５００の操作性が向上する。ここで小径の飲料缶１００では、タブ５００が小さくなりやすくタブ５００の操作性が低下しやすい。本実施形態の構成の場合、小径の飲料缶１００であったとしてもタブ５００の操作性が低下しにくくなっている。
【００１９】
図２は、タブ５００が取り付けられる前のパネル４００の状態を示した正面図である。
パネル４００は、上記のとおり円盤状に形成されている。より具体的に説明すると、パネル４００は、円盤状の基板４０５を備えるとともに、この基板４０５の周囲に、曲げ加工が施された外周縁４１０を有している。
【００２０】
ここで本実施形態では、上記外周縁４１０と容器本体２００の上縁部（不図示）とが互いに接触した状態で、この外周縁４１０および上縁部に対しいわゆる巻き締め加工が施される。これにより、パネル４００が容器本体２００の上縁部に固定される。またパネル４００には、タブ５００がパネル４００に固定される際に押しつぶされ上述したリベット９００となる突出部（ニップル）４２０が形成されている。ここでこの突出部４２０は、パネル４００の中心部から外れた箇所に設けられている。
【００２１】
また本実施形態では、パネル４００の表面に、略Ｃ字状のスコア線４３０が形成されている。このスコア線４３０は、パネル４００の表面に形成された溝により形成されており、パネル４００の破断を誘導する役割を果たす。付言すると、スコア線４３０は、パネル４００の破断が予定されている破断予定線として捉えることができる。またスコア線４３０は、パネル４００の図中右側に位置する領域に、一端部４３１および他端部４３２を有するとともに、パネル４００の図中左側に位置する領域側に膨らむように形成され、さらに、パネル４００の図中左側に位置する領域に頂部４３３Ａを有している。
【００２２】
また本実施形態では、一端部４３１および他端部４３２が互いに離れた状態で設けられることによって、一端部４３１と他端部４３２との間には、スコア線４３０が設けられていない不連続部が設けられた状態となっている。この不連続部が設けられることによって、後述する舌片部がパネル４００から離脱せず舌片部がパネル４００に取り付いたままの状態となる。さらに本実施形態では、他端部４３２から一端部４３１に向かってスコア線４３０が進行していく際に、頂部４３３Ａと突出部４２０との間をスコア線４３０が通過するようになっている。
【００２３】
ここで本実施形態では、パネル４００に開口が形成される際には、タブ５００によって、パネル４００のうちのスコア線４３０により囲まれている領域が押圧される。そしてこの押圧により、まず、スコア線４３０のうち、突出部４２０と頂部４３３Ａとの間に位置する部位（符号２Ａに示す部位）にてパネル４００の破断が発生する。その後、この部位から頂部４３３Ａを経て一端部４３１までパネル４００の破断が進行する。そしてこの破断によりパネル４００に舌片部が形成される。その後、この舌片部がタブ５００により押圧されこの舌片部は飲料缶１００の内部に進入する。これによって、パネル４００に開口が形成される。
【００２４】
タブ５００についてさらに詳細に説明する。
図３は、タブ５００の展開図である。図４は、タブ５００の正面図、側面図、および背面図を示した図である。詳細には、図４（Ａ）が正面図であり、図４（Ｂ）が側面図であり、図４（Ｃ）が背面図である。
本実施形態におけるタブ５００は、アルミニウムにより形成された一枚の板金に対して曲げ加工が施され、また折り畳まれることで形成されている。図３は、曲げ加工が施される前のタブ５００の状態を示している。ここで曲げ加工が施される前のタブ５００は、図３に示すように、略長方形状に形成されるとともに、タブ５００には、長手方向における一端部から他端部に向かって、順に、第１片部５１０、第２片部５２０、第３片部５３０、第４片部５４０、第５片部５５０が設けられている。
【００２５】
ここで第１片部５１０〜第４片部５４０の各々は、矩形状に形成されるとともに角部が丸みを帯びた状態で形成されている。また第５片部５５０は、略矩形状に形成されるとともに幅寸法が、第１片部５１０〜第４片部５４０の幅寸法よりも小さくなっている。また、本実施形態におけるタブ５００では、タブ５００の剛性を部分的に低下させるため、第１片部５１０と第２片部５２０との間、第２片部５２０と第３片部５３０との間、第３片部５３０と第４片部５４０との間、第４片部５４０と第５片部５５０との間に、第１溝５６１、第２溝５６２、第３溝５６３、第４溝５６４がそれぞれ設けられている。ここで本実施形態では、これら第１溝５６１〜第４溝５６４が設けられている箇所にて曲げ加工が施され折り畳まれた状態のタブ５００が形成される。また本実施形態では、曲げ加工が施されるこれらの部分が節となってタブ５００が変形するようになる（後述）。
【００２６】
また、第１片部５１０には、タブ５００がパネル４００に取り付けられる際に、パネル４００に設けられた突出部４２０（図２参照）が通される貫通孔５１１が形成されている。また第１片部５１０には、貫通孔５１１の周囲に、略Ｕ字状に形成されたスリット５１２が形成されている。
【００２７】
またタブ５００の第２片部５２０にも、貫通孔５２１が形成されている。この貫通孔５２１は、第１溝５６１にてタブ５００が曲げられタブ５００が折り畳まれた際に、第１片部５１０の貫通孔５１１に対峙するように配置されている。このため本実施形態では、第１片部５１０の貫通孔５１１に通された上記突出部４２０が、貫通孔５２１によって露出するようになる。そして本実施形態では、露出したこの突出部４２０を押し潰すことでリベット９００が形成され、パネル４００に対しタブ５００が固定される。なお、上記の図１（Ａ）は、貫通孔５２１を通じて突出部４２０を押し潰しリベット９００を形成した後の状態を示している。
【００２８】
さらに説明すると、本実施形態では、露出した突出部４２０を押し潰すことでリベット９００が形成され、パネル４００に対して固定片の一例としての第１片部５１０が固定される。なおこの第１片部５１０は、図１（Ｂ）に示すように、パネル４００のうちスコア線４３０により囲まれている領域（開口が形成される部位）に重なるように設けられている。
【００２９】
また本実施形態では、図３に示すように、第３片部５３０と第４片部５４０との接続部に楕円状の貫通孔５３１が形成されている。ここで貫通孔５３１が形成されている部分は、第３溝５６３にてタブ５００が曲げられタブ５００が折り畳まれた際に、切り欠き状の部位となる（図１（Ａ）参照）。また本実施形態では、第５片部５５０にも、パネル４００に設けられた突出部４２０（図２参照）が通される貫通孔５５１が形成されている。
【００３０】
ここで本実施形態では、パネル４００に対してタブ５００を固定する前に、図３にて示した形状の板金に対して曲げ加工を行い、折り畳まれた状態のタブ５００を作成する。具体的に説明すると、図４（Ｂ）に示すように、第１片部５１０と第２片部５２０とが対向するように、第１溝５６１にて曲げ加工を行い、また、第３片部５３０と第４片部５４０とが対向するように、第３溝５６３にて曲げ加工を行い、環状に形成され且つ折り畳まれた状態のタブ５００を作成する。なお図４（Ｂ）では図示を省略しているが、第５片部５５０は、第１片部５１０と第２片部５２０との間に配置される。
【００３１】
ここで折り畳みがなされタブ５００が完成した後は、図４（Ａ）に示すように、第２片部５２０に形成された貫通孔５２１が、第５片部５５０に形成された貫通孔５５１に対峙するようになる。また、第５片部５５０に形成された貫通孔５５１と、第１片部５１０に形成された貫通孔５１１（図４（Ｃ）参照）とが重なるようになる。
【００３２】
そして本実施形態では、タブ５００がパネル４００に取り付けられるが、この取り付けに際しては、まず、第１片部５１０に形成された貫通孔５１１および第５片部５５０に形成された貫通孔５５１の両者に対して、パネル４００の突出部４２０が通される。付言すると、タブ５００がパネル４００に取り付けられる際には、まず、図４（Ｃ）に示す第１片部５１０および第４片部５４０がパネル４００に対向するようにタブ５００が配置される。その後、第１片部５１０の貫通孔５１１および第５片部５５０の貫通孔５５１に対して、パネル４００の突出部４２０が通される。
【００３３】
ここで本実施形態では、第１片部５１０の貫通孔５１１および第５片部５５０の貫通孔５５１に通された突出部４２０が、第２片部５２０に形成された貫通孔５２１によって露出するようになる。そして本実施形態では、露出したこの突出部４２０を押し潰すことで上記のリベット９００を形成する。これにより、図１（Ａ）にて示しようにタブ５００がパネル４００に固定される。なお上記では説明を省略したが、タブ５００の剛性を高めるため、本実施形態では、タブ５００の外周縁に対してカール加工（曲げ加工）が施されており、図４（Ａ）〜（Ｃ）に示すように、タブ５００の外周縁にカール部５８０が形成されている。
【００３４】
次に、パネル４００に開口が形成される際のタブ５００の動きについて説明する。
図５は、パネル４００に開口が形成される際のタブ５００の動きを示した図である。まず、本実施形態では、パネル４００に開口が形成される前、タブ５００は、図５（Ａ）に示すように、厚み方向において押し潰され略平板状となっており、また、パネル４００に沿うように配置されている。なおこの際、タブ５００は、図１（Ａ）に示したように、パネル４００の外周縁４１０の内側に収められた状態となっている。
【００３５】
パネル４００に開口が形成される際には、まず、図５（Ａ）に示した状態にて、第４片部５４０とパネル４００との間に、ユーザの指が挿入され、第４片部５４０が上方に引き上げられる。付言すると、貫通孔５３１によって形成された上記切り欠き状の部位（図１（Ａ）参照）に対してユーザの指がかけられ第４片部５４０が上方に引き上げられる。これにより、図５（Ｂ）に示すように、第４片部５４０が図中下端部を中心として回転しパネル４００から離れる方向（上方）に変位する。
【００３６】
そしてこの第４片部５４０の変位によって、第３片部５３０が図中右方向に移動する。そして、この第３片部５３０の移動によって、第２片部５２０も、図中下端部を中心として回転しパネル４００から離れる方向に変位する。付言すると、揺動片の一例としての第２片部５２０は、図中下端部を中心として揺動可能に設けられており、第３片部５３０の図中右方向への移動によって図中下端部を中心として同図では時計回り方向に回転する。さらに説明すると、第４片部５４０と第２片部５２０とは第３片部５３０によって連動可能に設けられ、第４片部５４０が図中下端部を中心として回転すると第２片部５２０も図中下端部を中心として回転するようになる。これにより、同図（Ｂ）に示すように、タブ５００は、略平行四辺形の形状を有するようになる。
【００３７】
そして、第４片部５４０がユーザにより更に上方に引き上げられると、第４片部５４０がパネル４００から更に離れ、第２片部５２０もパネル４００から更に離れるようになる。これにより、同図（Ｃ）に示すように、タブ５００は、略長方形の形状を有するようになる。その後、ユーザによって第４片部５４０が図５（Ｃ）における右方向に押圧され、同図（Ｄ）〜（Ｆ）に示すように、第４片部５４０が、パネル４００（第１片部５１０）に接近するように回転する。
【００３８】
また、第４片部５４０の上記回転によって、第３片部５３０が図中右方向に移動するとともに図中下方向に移動する。また第３片部５３０のこの移動によって、パネル４００が設けられている側に向かって第２片部５２０の一端部が移動するように、第２片部５２０が回転する。そして、これらの動作によって、図１（Ｂ）に示すように、第３片部５３０および第２片部５２０（図１（Ｂ）では不図示）が、パネル４００の外周縁４１０から突出する。
【００３９】
その後、本実施形態では、タブ５００の上面（第３片部５３０および第４片部５４０）（図５（Ｆ）の符号５Ａ参照）がユーザにより押圧され、図５（Ｇ）に示すように、第３片部５３０および第４片部５４０は、第２片部５２０の端部５２７（第３片部５３０に接続されている側の端部）と、第１片部５１０の端部５１７（第４片部５４０に接続されている側の端部）とを結ぶ仮想線Ｌ１よりも、第１片部５１０および第２片部５２０側に位置するようになる。これにより、図５（Ｇ）に示すように、三角形となる部位がタブ５００に形成される。付言すると、第２片部５２０の一部と、第１片部５１０と、第４片部５４０とによって、三角形となる部位がタブ５００に形成される。さらに説明すると、タブ５００はトラス構造を有するようになる。
【００４０】
その後、本実施形態では、図５（Ｇ）にて示す第２片部５２０がユーザによって下方から押圧される。これにより、第１片部５１０の図中右端部（第２片部５２０に接続されている側の端部）が上方に持ち上げられるとともに、この持ち上げによって、第１片部５１０の図中左端部（端部５１７）がパネル４００を押圧する。付言すると、本実施形態では、リベット９００（図１（Ｂ）参照）が支点となり、第１片部５１０の右端部が上方に持ち上げられた際に、第１片部５１０の左端部が下方に向かって移動する。これによりパネル４００がタブ５００により押圧され、パネル４００に開口が形成される。
【００４１】
タブ５００の動きについてさらに説明する。
図６は、タブ５００、パネル４００、および容器本体２００を、飲料缶１００の側方から眺めた場合の図である。
上記では説明を省略したが、本実施形態では、パネル４００の外周縁４１０が、パネル４００の基板４０５よりも上方に位置している。付言すると、パネル４００は、外周縁４１０の内側が窪んだ状態となっている。そして本実施形態では、タブ５００は、外周縁４１０よりも下方且つ内側に位置する基板４０５の表面に取り付けられている。
【００４２】
ここで本実施形態では、タブ５００がユーザにより操作された際、上記のとおり、まず、第４片部５４０とパネル４００との間にユーザの指が挿入され、第４片部５４０が上方に引き上げられる。また上記のとおり、第４片部５４０がユーザによってさらに押圧される。これにより、図６（Ａ）に示すように、タブ５００は、略平行四辺形の形状を有するようになる。また本実施形態では、このようにタブ５００が略平行四辺形となった際に、第２片部５２０がパネル４００の外周縁４１０に突き当たり、第２片部５２０の移動が規制される。また本実施形態では、第２片部５２０がパネル４００の外周縁４１０に突き当たった際、第２片部５２０の端部５２７が、パネル４００の外周縁４１０よりも外側に且つ第１片部５１０よりも上方に位置する状態となる。
【００４３】
また本実施形態では、タブ５００の第２片部５２０が、図６（Ａ）のようにパネル４００の外周縁４１０に突き当たった状態において、第３片部５３０の長さＬ３と第４片部５４０の長さＬ４との和の方が、第２片部５２０の端部５２７と第１片部５１０の端部５１７との距離（直線距離）Ｌ２よりも、大きくなっている。付言すると、第３片部５３０の長さＬ３と第４片部５４０の長さＬ４との和の方が、図５（Ｇ）にて示した仮想線Ｌ１の長さよりも大きくなっている。このため本実施形態では、第２片部５２０がパネル４００の外周縁４１０に突き当たり第２片部５２０の移動が規制された際、第３片部５３０および第４片部５４０の移動も規制されるようになる。付言すると、第３片部５３０の第２片部５２０への接近、および、第４片部５４０の第１片部５１０への接近が規制されるようになる。
【００４４】
さらに説明すると、第１片部５１０と第２片部５２０を２辺とする三角形を想定した場合、この三角形の底辺の長さよりも、第３片部５３０の長さＬ３と第４片部５４０の長さＬ４との和の方が大きくなっている。このため、第１片部５１０と第２片部５２０とのなす角度が大きくならない限り、第３片部５３０および第４片部５４０の移動がなされない状態となる。この結果、上記のとおり、第２片部５２０がパネル４００の外周縁４１０に突き当たり第２片部５２０の移動が規制された際、第３片部５３０および第４片部５４０の移動も規制される。そしてこれにより、進行していたタブ５００の変形が一旦停止する。
【００４５】
その後、本実施形態では、タブ５００の上面がユーザにより上方から押圧され、図６（Ｂ）に示すように、第４片部５４０が第１片部５１０に接近し、第３片部５３０が第２片部５２０に接近するようになる。そしてこの場合、第２片部５２０の端部５２７が、第３片部５３０により上方から押圧され、第２片部５２０は弾性変形を行う。より詳細には、第２片部５２０の端部５２７が下方に向かって変位するようになり、第２片部５２０は、上側に向かって凸となるように反る。
【００４６】
また本実施形態では、第２片部５２０の端部５２７の下方への変位によって、第２片部５２０の他方の端部５２８（第１片部５１０に接続されている側の端部、図６（Ｂ）参照）が上方に変位するようになる。そしてこの変位によって、第１片部５１０の端部５１８（第２片部５２０に接続されている側の端部）が持ち上げられ、この端部５１８も上方に変位するようになる。付言すると、第１片部５１０も弾性変形を行うようになる。
【００４７】
そしてこのように第１片部５１０および第２片部５２０が弾性変形を行うと、第１片部５１０と第２片部５２０とのなす角度が大きくなり、第２片部５２０の端部５２７と第１片部５１０の端部５１７との距離Ｌ２が大きくなる。そして距離Ｌ２が大きくなる結果、本実施形態では、この距離Ｌ２と、上述した、長さＬ３と長さＬ４との和とが等しくなる。そしてこのように、距離Ｌ２と、長さＬ３と長さＬ４との和とが等しくなると、第２片部５２０に向けての第３片部５３０が移動し、および、第１片部５１０に向けての第４片部５４０が移動していく。
【００４８】
これにより、図６（Ｃ）に示すように、第２片部５２０の端部５２７と第１片部５１０の端部５１７とを結ぶ仮想線Ｌ１よりも、第１片部５１０および第２片部５２０が設けられている側に、第３片部５３０および第４片部５４０が位置するようになる。その後、本実施形態では、タブ５００の上面のユーザによる押圧が解除される。そしてタブ５００に対するユーザの押圧が解除されると、弾性変形を行っていた第１片部５１０および第２片部５２０は、図６（Ｃ）に示すようにもとの状態に復元する。
さらに説明すると、第３片部５３０および第４片部５４０が仮想線Ｌ１（図６（Ｃ））を超えると、それ以降、第３片部５３０および第４片部５４０の端部の距離Ｌ２は減少することができるようになる。これにより、第１片部５１０および第２片部５２０に弾性変形を発生させていた力が働かなくなる。このため、第１片部５１０および第２片部５２０は、それぞれ変形前に復元しようとする力が働き、これが第１片部５１０および第２片部５２０の端部の距離Ｌ２を減少しようとする力となる。すると、第３片部５３０および第４片部５４０の端部の距離Ｌ２は減少させられ、第３片部５３０および第４片部５４０のなす角は小さくなる方向に力が働き、図６（Ｃ）に示すように、第３片部５３０は第２片部５２０に、第４片部５４０は第１片部５１０に、それぞれ近づくようになる。なおこのとき、タブ５００の上面は下方側に屈曲しており、タブ５００は図６（Ａ）に示す状態に戻りにくくなっている。
【００４９】
付言すると、本実施形態では、タブ５００の上面に対する押圧が解除された際、タブ５００の上面が下側に屈曲する状態となるとともに、第３片部５３０の長さＬ３（図６（Ｃ）参照）と第４片部５４０の長さＬ４との和の方が、仮想線Ｌ１の長さよりも大きい状態となる。このため、タブ５００は、図６（Ａ）に示す状態に戻りにくくなる。
【００５０】
その後、本実施形態では、上記のとおり、第２片部５２０のうちのパネル４００の外周縁４１０から突出している部分が、ユーザにより下方から押圧される。これにより、第１片部５１０の端部５１８（図６（Ｃ）参照）が上方に変位する。そしてこの変位によって、第１片部５１０の端部５１７（図中左端部）がパネル４００を押圧する。付言すると、上記のとおり、リベット９００が支点となり、第１片部５１０の端部５１８が上方に持ち上げられた際に、第１片部５１０の端部５１７が下方に向かって移動する。これによりパネル４００がタブ５００により押圧され、パネル４００に開口が形成される。
【００５１】
なお、第２片部５２０のうちのパネル４００の外周縁４１０から突出している部分がユーザにより下方から押圧された際、第２片部５２０は、外周縁４１０の内側に向かって（反時計まわり方向に）回転しようとするが、この回転は、第２片部５２０と第１片部５１０との間に配置された規制部の一例としての第４片部５４０によって規制される。付言すると、上記突出している部分がユーザにより下方から押圧された際、第２片部５２０はパネル４００の内側方向に倒れようとするが、第２片部５２０のこの倒れは第４片部５４０により規制される。
【００５２】
なお、ユーザによってタブ５００が操作される前においては、図５（Ａ）に示すように、第４片部５４０は、第２片部５２０と第１片部５１０との間ではない箇所に配置される。またこの状態において、第４片部５４０は、パネル４００に沿うように配置されている。タブ５００が操作される前に、第４片部５４０が第２片部５２０と第１片部５１０との間に配置されていると、タブ５００（缶蓋３００）の厚みが増すおそれがあるが、本実施形態の構成とした場合には、このような厚みの増加が抑制される。
【００５３】
また、第２片部５２０のうちのパネル４００の外周縁４１０から突出している上記部分がユーザにより下方から押圧された際、第４片部５４０の端部５４５（図６（Ｃ）参照）が第２片部５２０の面上（裏面上）をスライドするように、第４片部５４０は変位しようとする。付言すると、端部５４５が端部５２７に近づくように第４片部５４０は変位しようとする。ところで本実施形態では、この変位は、端部５４５と端部５２７との間に位置する第３片部５３０によって規制される。
【００５４】
ところで、図１（Ａ）等にて示した飲料缶１００は、上記のとおり、小径の飲料缶１００をイメージして描いている。ここでこのような小径の飲料缶１００において、径の大きい飲料缶１００に用いられるタブ５００を用いた場合、パネル４００に形成される開口とタブ５００とが重なる領域が大きくなり、内部の飲料の流出性能が低下してしまう。このため、飲料缶１００の直径が小さくなる場合においてはタブ５００のサイズも小さくすることが望ましくなる。ところでこの場合、流出性能の低下は抑制可能となるが、タブ５００が小さくなるためタブ５００の操作性が低下する。
【００５５】
また、飲料缶１００に形成される開口が大きい場合も上記と同様の問題が起こり得る。ここで飲料缶１００に取り付けられるパネル４００の大きさには制約があり、開口が大きくなる場合は、タブ５００の設置スペースが減るようになる。そしてこの場合は、上記と同様、タブ５００のサイズが小さくなりタブ５００の操作性が低下する。またこの場合、開口（舌片部）と重なるようにタブ５００を設ければ、より大きいタブ５００を用いることが可能となるが、この場合は、上記と同様、流出性能の低下が起きてしまう。
【００５６】
ここで、本実施形態における構成を採用した場合は、飲料が飲まれる際には図１（Ｂ）に示す状態となり、流出性能の低下が抑制可能となる。また本実施形態における構成を採用した場合、タブ５００を大きくしたとしても、飲料が飲まれる際には、タブ５００と開口との重なりが小さくなるため、流出性能の低下を抑えつつタブ５００の大型化を図ることができるようになる。
【００５７】
なお上記では、パネル４００の外周縁４１０を利用することで第２片部５２０の下方への移動を規制したが、外周縁４１０以外を利用して、第２片部５２０の下方への移動を規制することもできる。
例えば、図７（飲料缶１００の他の実施形態を示した図）の（Ａ）に示すように、パネル４００の表面に突起４７０を形成し、この突起４７０に対し第２片部５２０が接触するようにすることで、第２片部５２０の下方の移動を規制することができる。なお本実施形態では、パネル４００に突起４７０を形成したが、タブ５００に突起４７０を形成してもよい。また例えば同図（Ｂ）に示すように、第２片部５２０の厚みを増すことで、第２片部５２０の下方への移動を規制することもできる。なお同図（Ｂ）では、カール部５８０の厚みを増すことで、第２片部５２０の厚みを増加させている。
【００５８】
なお上記では、第２片部５２０の下方への移動を規制する場合（第２片部５２０とパネル４００とのなす角度が予め定められた角度となった際に第２片部５２０の移動が規制される場合）を説明したが、第２片部５２０の下方への移動を規制しない構成とすることもできる。この場合、タブ５００の上面がユーザにより押圧された際、図８（飲料缶１００の他の一形態を示した図）に示すように、側面視にてタブ５００は略直線状となる。
【００５９】
なお図８のように、タブ５００が略直線状となる場合、第２片部５２０が下方から押圧されパネル４００に開口が形成される際に、第３片部５３０および第４片部５４０が上方に向かって変位するおそれがある。付言すると、タブ５００の上面に、図６（Ｃ）に示したような屈曲部が形成されていない場合、第３片部５３０および第４片部５４０が上方に向かって変位しやすくなる。そして第３片部５３０および第４片部５４０が上方に変位してしまうと、図６（Ａ）の状態に戻ることとなり、パネル４００に開口を形成することが困難となる。
【００６０】
このため、図８のように、外周縁４１０や突起４７０などを設けない構成とすることも可能ではあるが、外周縁４１０や突起４７０などを設けることで第２片部５２０の下方への移動を規制し、タブ５００の上面に屈曲部が形成される構成とした方がより好ましくなる。付言すると、外周縁４１０や突起４７０などを設けることで、第２片部５２０の端部５２７（図６参照）がある一定位置よりも下方に位置しないようにし、仮想線Ｌ１（図６（Ｃ）参照）の長さの方を、第３片部５３０の長さＬ３と第４片部５４０の長さＬ４との和よりも小さくしておくことが好ましくなる。
また、図１３に示すように、第１片部５１０の長さをＡ、第２片部５２０の長さをＢ、第３片部５３０の長さをＣ、第４片部５４０の長さをＤとした場合、以下の、（１）式および（２）式を満足することが望ましい。
（１）Ａ＋Ｄ＝Ｂ＋Ｃ
（２）Ａ＋Ｂ＞Ｃ＋Ｄ
【００６１】
図９は、図３にて示した第１溝５６１〜第４溝５６４を説明するための図である。なお図９では、第１溝５６１を一例に説明する。
同図（Ａ）に示すように、第１溝５６１は、断面形状がＵ字状となるように形成することができる。また同図（Ｃ）に示すように断面形状が三角形となるように形成することもできる。また断面形状を三角形とした場合、同図（Ｂ）に示すように、先端部に曲率を付与することもできる。また上記では、タブ５００に溝（第１溝５６１〜第４溝５６４）を形成した場合を一例に説明したが、同図（Ｄ）、（Ｅ）に示すように、タブ５００の一部が凹むようにタブ５００を変形させるようにしてもよい。なお同図（Ｄ）は、断面形状がＵ字状の凹みを形成した場合を示し、同図（Ｅ）は、断面形状が三角形の凹みを形成した場合を示している。
【００６２】
また上記では、第１片部５１０〜第５片部５５０が平坦に形成されているが、図１０（タブ５００の他の構成例を示した図）に示すように、第２片部５２０〜第４片部５４０に曲率を付与し第２片部５２０〜第４片部５４０を湾曲させるようにしてもよい。ここで図１０に示す構成例では、第３片部５３０が設けられている側に向かって膨らむように（凸となるように）第２片部５２０は湾曲している。また、第２片部５２０から離れる方向に向かって膨らむように第３片部５３０は湾曲している。また、第１片部５１０が設けられている側に向かって膨らむように第４片部５４０は湾曲している。なお本実施形態では、第２片部５２０〜第４片部５４０を湾曲させる場合を一例に説明するが、第１片部５１０および第５片部５５０も湾曲させることができる。
【００６３】
ここで本実施形態では、パネル４００に開口が形成される際にタブ５００の第２片部５２０が上方に持ち上げられるが、このとき、第２片部５２０には、同図の矢印１０Ａに示す曲げモーメントが働く。付言すると、下側に向かって凸となるように第２片部５２０を湾曲させる曲げモーメントが働くようになる。
【００６４】
ところでこの場合に、第２片部５２０が下側に向かって凸となるように湾曲してしまうと、第２片部５２０から第１片部５１０に荷重が伝達されにくくなり、第１片部５１０がパネル４００を押圧する際の押圧荷重が小さくなる。そしてこの場合、パネル４００に開口を形成する際に要するタブ５００の操作荷重が増加する。このため本実施形態では、第３片部５３０が設けられている側（上側）に向かって膨らむように第２片部５２０を予め湾曲させておくことで、下側に向かって凸となるように第２片部５２０が湾曲することを抑制している。この場合、第２片部５２０からの荷重が第１片部５１０に伝達されやすくなり、パネル４００に開口を形成する際に要するタブ５００の操作荷重が小さくなる。
【００６５】
また本実施形態では、上記のとおり、第２片部５２０から離れる方向に向かって膨らむように第３片部５３０は湾曲している。ここで、第２片部５２０が上方に持ち上げられた際、図１０の矢印１０Ｂに示すように、第３片部５３０には、軸方向の圧縮応力がかかる。この圧縮応力により、第３片部５３０と第４片部５４０のなす角は小さくなろうとする方向に力が働く。そのため、第３片部５３０と第４片部５４０の接続部１０Ｙは、第２片部５２０を押込む方向の力となる。
また、第２片部５２０から離れる方向に向かって膨らむように第３片部５３０が湾曲していると、例えば第３片部５３０が平坦に形成されている場合に比べ、第２片部５２０に向かって膨らむ湾曲が第３片部５３０に生じにくくなる。第２片部５２０に向かって膨らむ湾曲が第３片部５３０に生じると、第２片部５２０にも湾曲（図１０中、下方向に向かって凸となる湾曲）が生じやすくなる。そしてこの場合、ユーザからの操作荷重が第１片部５１０に伝達されにくくなり、開口を形成する際の操作荷重の増加を招いてしまうおそれがある。
【００６６】
また本実施形態では、第２片部５２０がユーザにより上方に持ち上げられた際、第４片部５４０にも矢印１０Ｃに示すような軸方向の圧縮応力がかかる。そしてこの場合、この圧縮応力は、第４片部５４０の曲率を大きくさせる（曲率半径を小さくさせる）応力となると言うこともできる。また本実施形態における第４片部５４０は、上記のように、第１片部５１０が設けられている側に向かって膨らむように湾曲している。このため本実施形態では、第４片部５４０に軸方向の圧縮応力が作用し第４片部５４０の曲率が大きくなった際、第４片部５４０は、第１片部５１０や第２片部５２０により密着するようになる。そしてこの場合は、第４片部５４０が平坦に形成されている場合に比べ、第４片部５４０が第２片部５２０等から離れにくくなる。そしてこの場合、タブ５００が、図６（Ｃ）に示した状態から図６（Ａ）に示した状態に戻りにくくなる。
【００６７】
タブ５００の他の形態をさらに説明する。
図１１は、タブ５００の他の一形態を示した図である。なお同図（Ａ）はユーザにより操作される前のタブ５００の状態を示し、同図（Ｂ）はパネル４００に開口が形成される際のタブ５００の状態を示している。
同図（Ａ）に示すように、本実施形態では、第１片部５１０、第２片部５２０、および第４片部５４０の３つの片部によりタブ５００が構成されており、図４等にて示した第３片部５３０および第５片部５５０が省略された構成となっている。また本実施形態では、第２片部５２０のうち第１片部５１０と対向する対向面に対して、突出部５２５が形成されている。
【００６８】
ここで本実施形態では、パネル４００に開口が形成される際、まず、同図（Ａ）に示す第２片部５２０と第４片部５４０との間にユーザの指が入れられ、第２片部５２０が図中上方に引き上げられる。これにより、第２片部５２０の端部５２７が、同図（Ｂ）に示すようにパネル４００の外周縁４１０から突出する。その後、本実施形態におけるタブ５００では、第４片部５４０（同図（Ａ）参照）とパネル４００との間にユーザの指が入れられ、第４片部５４０が上方に引き上げられる。これにより同図（Ｂ）に示すように、第４片部５４０はパネル４００の外周縁４１０側に倒れるとともに、第１片部５１０および第２片部５２０に対向するようになる。なおこのとき、同図（Ｂ）に示すように、第４片部５４０の自由端５４９は、第２片部５２０に形成された突出部５２５よりも図中左側に位置し、この突出部５２５の上に第４片部５４０が載らないようになっている。
【００６９】
その後、本実施形態におけるタブ５００では、上記と同様、第２片部５２０のうちのパネル４００の外周縁４１０から突出した部分が下方により持ち上げられる。なおこのとき、第２片部５２０に形成された突出部５２５が第４片部５４０に突き当たるようになり、パネル４００の内側方向への第２片部５２０の倒れが防止される。そして、パネル４００の外周縁４１０から突出している上記部分がさらに持ち上げられると、上記と同様、第１片部５１０の端部５１７がパネル４００を押圧する。これによりパネル４００に開口が形成される。なお第１片部５１０のうちの突出部５２５と対峙する部位（同図（Ａ）の符号１１Ａに示す部位）には、突出部５２５を収容する収容部を形成することができる。このように収容部を形成した場合、タブ５００の厚みが小さくなる。なお、収容部は、例えば、第１片部５１０に凹部や貫通孔を設けることで形成することができる。
【００７０】
なお図１１に示した構成では、タブ５００の立体化に際し、ユーザによる片部の引き上げが２回行われる。即ち、第２片部５２０の上方への引き上げと、第４片部５４０の上方への引き上げとが行われる。一方で、図１等にて示した構成では、図５（Ａ）等にて示す第４片部５４０の上方への引き上げのみで、タブ５００の立体化が行えるようになっている。付言すると、図１等に示した構成では、第４片部５４０と第２片部５２０とが第３片部５３０により接続された構成となっているため、第４片部５４０の引き上げを行うことで第２片部５２０も移動するようになっている。このため図１等にて示した構成では、図１１に示した構成よりも、より少ない手順でタブ５００の立体化（組み立て）ができる。
【００７１】
なお図１１では、第２片部５２０に形成された突出部５２５を用いて、第２片部５２０のパネル４００の内側への倒れを防止したが、突出部５２５以外によっても第２片部５２０の倒れを防止することができる。例えば、第２片部５２０に対し例えばＵ字状の切り込みを入れるとともにこの切り込みの根元にて曲げ加工を行うことで、図１２（タブ５００の他の一形態を示した図）の（Ａ）に示すように、第２片部５２０から突出する突出片５２６を形成することができる。そして、同図（Ｂ）に示すように、突出片５２６と第２片部５２０との間に形成される間隙に、第４片部５４０の自由端５４９を入り込ませることで、第２片部５２０のパネル４００の内側への倒れを防止することができる。なお上記と同様、第１片部５１０には突出片５２６を収容する収容部を設けることができる。
【符号の説明】
【００７２】
１００…飲料缶、２００…容器本体（缶胴）、３００…缶蓋、４００…パネル、４１０…外周縁、５００…タブ、５１０…第１片部、５２０…第２片部、５４０…第４片部
【図１】
0005634917.tif 000002
【図２】
0005634917.tif 000003
【図３】
0005634917.tif 000004
【図４】
0005634917.tif 000005
【図５】
0005634917.tif 000006
【図６】
0005634917.tif 000007
【図７】
0005634917.tif 000008
【図８】
0005634917.tif 000009
【図９】
0005634917.tif 000010
【図１０】
0005634917.tif 000011
【図１１】
0005634917.tif 000012
【図１２】
0005634917.tif 000013
【図１３】
0005634917.tif 000014